(57)【特許請求の範囲】
【請求項１】
側溝の幅方向に伸びる上枠部材と、前記上枠部材に垂下状に設けられたゴミ受け部とを備えた側溝用ゴミ止め具において、
前記上枠部材が、パイプとパイプの少なくとも一端部に挿入された弾性体によって、長さ方向への圧縮力に対して弾性反発する態様で、長さ方向へ圧縮変形可能に形成されており、
前記弾性体には螺旋溝が形成される一方、パイプの端部内面には係合突起が形成され、前記弾性体の螺旋溝が前記パイプの係合突起にはまり込んだ状態で弾性体がパイプの端部にねじ込まれるとともに、ねじ込み量を調整することにより、弾性体のパイプからの突出長さを調整可能となされていることを特徴とする側溝用ゴミ止め具。
【請求項２】
前記弾性体の端部が、下方に至るに従って退入する傾斜状に形成されてなる請求項１に記載の側溝用ゴミ止め具。
【発明の詳細な説明】
【０００１】
【発明の属する技術分野】
この発明は、側溝に配置され上流からの土石やゴミを受け止めるゴミ止め具に関する。
【０００２】
【従来の技術】
図９（ａ）に示すように、従来の側溝用ゴミ止め具１００は、側溝の幅よりも長い上枠部材１０１と、前記上枠部材１０１に垂下状に設けられた櫛歯状のゴミ受け部１０２とが、鉄、アルミニウム等の金属により一体的に形成されたものであった。そして、使用に際しては、図９（ｂ）に示すように、前記ゴミ受け部１０２を側溝２００の内部に位置させて、上枠部材１０１を溝の幅方向に横断配置とし、ゴミ受け部１０２をその下縁部を溝の底面に接触させわずかに傾斜状態にして、上枠部材１０１の両端部を、溝蓋のはめ込みのための水平段部２０１、２０１に載置するものであった。
【０００３】
【発明が解決しようとする課題】
しかし、このような従来のゴミ止め具１００は、上枠部材１０１の両端部が側溝２００の水平段部２０１、２０１に載置されるために、水平段部２０１、２０１の上に溝蓋を配置すると上枠部材１０１の外径分だけ溝蓋の上面が高くなって道路の端面から突出したり、溝蓋にがたつきが生じてしまう。これを避けるために、通常では、溝蓋と溝蓋の間に上枠部材１０１が位置するようにゴミ止め具１００が設置されることが多く、ゴミ止め具１００の設置位置に制限があるという欠点があった。
【０００４】
しかも、設置高さの調節ができないために、溝深さの深い側溝の場合には、ゴミ受け部１０２と溝の底面との間に隙間が生じてゴミ止めの機能を果たさ内という欠点があり、逆に溝深さの浅い側溝の場合には、ゴミ受け部１０２が大きく傾斜した状態に設置されることになり、外部から見える位置に設置された場合には見栄えが悪いという欠点があった。
【０００５】
この発明は、このような欠点を解消するためになされたものであって、設置位置の選択自由度が高いうえ、種々の溝深さにも対応できる側溝用ゴミ止め具の提供を課題とする。
【０００６】
【課題を解決するための手段】
上記課題は、側溝の幅方向に伸びる上枠部材と、前記上枠部材に垂下状に設けられたゴミ受け部とを備えた側溝用ゴミ止め具において、前記上枠部材が、パイプとパイプの少なくとも一端部に挿入された弾性体によって、長さ方向への圧縮力に対して弾性反発する態様で、長さ方向へ圧縮変形可能に形成されており、前記弾性体には螺旋溝が形成される一方、パイプの端部内面には係合突起が形成され、前記弾性体の螺旋溝が前記パイプの係合突起にはまり込んだ状態で弾性体がパイプの端部にねじ込まれるとともに、ねじ込み量を調整することにより、弾性体のパイプからの突出長さを調整可能となされていることを特徴とする側溝用ゴミ止め具によって解決される。
【０００７】
このゴミ止め具は、上枠部材が、長さ方向への圧縮力に対して弾性反発する態様で、長さ方向へ圧縮変形可能に形成されているから、使用に際しては、上枠部材を長さ方向（側溝の幅方向）に圧縮変形させて側溝幅方向の対向内側面間に強制的に挿入すると、上枠部材はその反発力により側溝内側面に圧接係止する。従って、上枠部材を側溝の水平段部に載置する必要がなくなるから、ゴミ止め具の溝長さ方向における設置位置や溝深さ方向における設置位置を自由に設定できる。
【０００８】
また、上枠部材がパイプとパイプの少なくとも一端部に挿入された弾性体からなり、弾性体には螺旋溝が形成される一方、パイプの端部内面には係合突起が形成され、前記弾性体の螺旋溝が前記パイプの係合突起にはまり込んだ状態で弾性体がパイプの端部にねじ込まれるとともに、ねじ込み量を調整することにより、弾性体のパイプからの突出長さを調整可能となされているから、側溝の内側面間の距離に応じて上枠部材の長さを調整でき、各種溝幅の側溝に対応できる。
【０００９】
このゴミ止め具において、弾性体の端部が、下方に至るに従って退入する傾斜状に形成されてなる構成としても良い。これにより、上枠部材の下部の長さが上部に比べて短くなり、側溝の上方から上枠部材を側溝の内側面間に挿入しやすくなる。
【００１４】
【発明の実施の形態】
以下、この発明の一実施形態を、図面を参照しつつ説明する。
【００１５】
図１は、この発明の一実施形態に係るゴミ止め具の正面図、図２（ａ）は図１のIIａ−IIａ線断面図、図２（ｂ）は図１のIIｂ−IIｂ線断面図である。
【００１６】
これらの図において、１はゴミ止め具であり、ゴミ止め具１は金属製の上枠部材２と同じく金属製のゴミ受け部３とを備えている。
【００１７】
前記上枠部材２は、断面Ｃ形のパイプ本体２１ａの各開口縁部から平行状に外方に突出した２個のフランジ部２１ｂ、２１ｂを有する断面鍵穴状のパイプ２１と、このパイプ２１の両端部に装着された２個の円柱状の弾性体２２からなる。弾性体２２はこの実施形態ではゴムによって形成されている。
【００１８】
一方、前記ゴミ受け部３は、前記上枠部材２のパイプ２１の長さ方向の中間部から垂下状に設けられた板状体からなり、ゴミ受け部３の上端部は、前記２個のフランジ部２１ｂ、２１ｂの間に挿入重合され、溶接等によりパイプ２１に接合一体化されている。このゴミ受け部３は、水の流通を許容するために厚さ方向に貫通する多数の孔部３１を有している。また、幅方向の両端部及び下端部は折り重ね状態に曲げ加工されることにより強度向上が図られている。図２の３２は折り重ね部である。
【００１９】
前記上枠部材２の各弾性体２２、２２の外側端部は、下方に至るに従って長さ方向に退入する傾斜面２２ａに形成されている。これらの各弾性体２２は、図３に示すように、パイプ２１の各端部に強制的に挿入されるとともに、傾斜面２２ａ、２２ａの下端部における上枠部材２の長さＬ１が、図４に示す側溝２００の幅（側溝の対向内側面２０２、２０２間の距離）Ｌ３とほぼ同じかわずかに短く、傾斜面２２ａ、２２ａの上端部における上枠部材２の長さＬ２が側溝２００の幅Ｌ３よりも長くなるように、挿入長さを調整され、この状態でパイプ２１の径方向外方からパイプ２１を貫通して弾性体２２にねじ込まれたビス２３により、パイプ２１と弾性体２２とが一体に固定されている。なお、ビス２３としてタッピングビスを用いることにより、パイプ２１に下孔を設けることなくビス２３をねじ込むことができる。
【００２０】
上記のようなゴミ止め具１を使用するには、側溝２００内にゴミ受け部３を位置させ上枠部材２が側溝２００を横断する状態とし、側溝２００の上方から上枠部材２を強制的に押し込んで側溝２００の対向内側面２０２、２０２間に挿入していく。弾性体２２の端部は、下方に至るに従って退入する傾斜面２２ａ、２２ａになっているから、上枠部材２を下方に押し込むことにより、側溝２００の対向内側面２０２、２０２に前記傾斜面２２ａ、２２ａがガイドされつつ弾性体２２が圧縮変形する結果、上枠部材２を側溝２００の対向内側面２０２、２０２間にスムーズに挿入することができる。
【００２１】
図４に示すように、ゴミ受け部３の下縁が側溝２００の底面に接触し、かつゴミ受け部３の下部が側溝２００の上流側、上部が側溝２００の下流側に位置する傾斜状配置となるまで、上枠部材２を挿入する。挿入後は、弾性体２２の反発力により弾性体２２の各端部がそれぞれ内側面２０２、２０２に圧接係止して固定され、これによりゴミ止め具１が側溝２００内に設置される。
【００２２】
このような設置状態では、上枠部材２は側溝２００の水平段部２０１、２０１よりも下方位置にあり、従来のように上枠部材２の両端が水平段部２０１、２０１に載置されていないから、溝蓋の位置を気にすることなく、上枠部材２を配置することができる。しかも、上枠部材２が水平段部２０１、２０１よりも下方に位置する分、ゴミ受け部３の長さを従来よりも短くでき、ゴミ受け部３ひいてはゴミ止め具１全体を小型化できる。
【００２３】
図５及び図６は、この発明の他の実施形態を示すものである。この実施形態では、弾性体２２の外周面に螺旋溝２４が形成される一方、上枠部材２のパイプ２１の両端部には、パイプ２１の内方に局部的に突出する１個又は複数個の係合突起２５が形成されている。そして、前記弾性体２２の螺旋溝２４が前記パイプ２１の係合突起２５にはまり込んだ状態で弾性体２２がパイプ２１の端部にねじ込まれるとともに、ねじ込み量を調整することにより、弾性体２２のパイプ２１からの突出長さ換言すれば上枠部材２の長さを調整可能となされている。かつ、弾性体２２の長さ方向へのスライド移動に対しては、係合突起２５がこれを阻止するものとなされている。
【００２４】
このような構成とすることで、上枠部材２の長さを、側溝２００の幅に応じて簡単に調整できる利点がある。
【００２５】
また、図５及び図６に示した実施形態では、係合突起２５を局部的に突出する１個又は複数個のものとして形成したが、図７に示すように、弾性体２２の螺旋溝２４に対応する螺旋形の係合突起２６をパイプ２１の内方に形成しても良い。この構成では、、前記弾性体２２の螺旋溝２４が前記パイプ２１の係合突起２６にはまり込んだ状態で弾性体２２がパイプ２１の端部にねじ込まれるとともに、ねじ込み量を調整することにより、弾性体２２のパイプ２１からの突出長さ換言すれば上枠部材２の長さを調整可能となる。
【００２６】
また、上枠部材２の長さを調整可能とするための他の構成として、図８に示したものを挙げうる。この実施形態では、上枠部材２が、上枠部材本体としてのパイプ２１と、パイプ２１の長さ方向の一端に設けられたゴム製の弾性体２７と、パイプ２１の長さ方向の他端に設けられた金属または樹脂製の長さ調節具２９とを備えてなる。前記パイプ２１の両端開口部はそれぞれ蓋体２８ａ、２８ｂで閉塞されるとともに、前記弾性体２７は一方の蓋体２８ａに接着剤などにより接合固定されている。また、前記長さ調節具２９は円錐形状の頭部２９ａに軸部２９ｂが突設されてなるとともに、この軸部２９ｂに雄ねじが刻設されている。一方、蓋体２８ｂに前記雄ねじに対応する雌ねじが刻設されており、この雌ねじ部に前記長さ調節具２９の軸部２９ｂが、ねじ込み量を調節可能にねじ込まれている。
【００２７】
図８に示す構成とすることで、前記長さ調節具２９の軸部２９ｂのねじ込み量を調節して、長さ調節具２９のパイプ２１からの突出長さを調節することにより、上枠部材２の長さ（一端の長さ調節具２９から他端の弾性体２７までの長さ）を側溝２００の幅に応じて簡単に調整できる利点がある。
【００２８】
なお、以上の実施形態では、パイプ２１の両端部に弾性体２２を設けたが、パイプ２１の一端部のみに弾性体２２を設けても良いし、パイプ２１の中間部に設けても良いし、上枠部材２の全体を弾性体により構成しても良い。
【００２９】
【発明の効果】
請求項１に係る発明によれば、上枠部材を側溝内側面に圧接係止させて、ゴミ止め具を側溝に固定することができるから、従来のように、上枠部材を側溝の水平段部に載置する必要がなくなる。このため、ゴミ止め具の溝長さ方向における設置位置を任意に設定できる。しかも、溝深さ方向における設置位置も任意に設定できるから、溝の深さの大小にかかわらず適正姿勢に見栄え良くゴミ止め具を設置できる。
【００３０】
しかも、側溝の内側面間の距離に応じて上枠部材の長さを調整でき、各種溝幅の側溝に対応できるゴミ止め具となし得る。
【００３１】
請求項２に係る発明によれば、側溝の対向内側面に前記傾斜面をガイドさせつつ弾性体を圧縮変形させて、上枠部材を側溝の対向内側面間にスムーズに挿入することができる。
【図面の簡単な説明】
【図１】この発明の一実施形態に係る側溝用ゴミ止め具の正面図である。
【図２】（ａ）は図１のIIａ−IIａ線断面図、（ｂ）は図１のIIｂ−IIｂ線断面図である。
【図３】図１のゴミ止め具の上枠部材のパイプに弾性体を挿入する前の斜視図である。
【図４】図１のゴミ止め具を、側溝に取り付けた状態の斜視図である。
【図５】この発明の他の実施形態を示すもので、上枠部材のパイプに弾性体を挿入する前の斜視図である。
【図６】図５に示した他の実施形態において、（ａ）は上枠部材のパイプに弾性体を挿入した状態の要部の正面図、（ｂ）は図（１）のVI−VI線断面図である。
【図７】この発明のさらに他の実施形態を示すもので、上枠部材のパイプに弾性体を挿入する前の斜視図である。
【図８】この発明のさらに他の実施形態を示すもので、上枠部材の両端部を切り欠いて示す要部断面図である。
【図９】（ａ）は従来のゴミ止め具の斜視図、（ｂ）は前記ゴミ止め具を側溝に取り付けた状態の断面図である。
【符号の説明】
１・・・・・・・・ゴミ止め具
２・・・・・・・・上枠部材
３・・・・・・・・ゴミ受け部
２１・・・・・・・パイプ
２２・・・・・・・弾性体
２２ａ・・・・・・傾斜面
２４・・・・・・・螺旋溝
２５、２６・・・・係合突起
２７・・・・・・・弾性体
２９・・・・・・・長さ調節具
【図１】
0003993788.tif 000002
【図２】
0003993788.tif 000003
【図３】
0003993788.tif 000004
【図４】
0003993788.tif 000005
【図５】
0003993788.tif 000006
【図６】
0003993788.tif 000007
【図７】
0003993788.tif 000008
【図８】
0003993788.tif 000009
【図９】
0003993788.tif 000010